(57)【特許請求の範囲】
【請求項１】
両端がそれぞれ他の配水管との接点、仕切弁、又は栓止部によって区切られている複数の配水管と、配水管内の水の流通を制御するために全ての又は一部の配水管の端部に接続された仕切弁と、配水管の一方の端部をそれ以上先に水が流通しないようにするための栓止部とを含む配水管路を地図と関連付けて記録した配水管路データベースと、
前記配水管路データベースからのデータに基づいて所定領域の配水管路を地図と関連付けて表示するための配水管路表示手段と、
前記配水管路表示手段により所定領域の配水管路が表示された画面上で、前記配水管路の中の施行すべき施工箇所を入力するための施工箇所入力手段と、
前記施工箇所入力手段により施行すべき施行箇所が入力されたとき、自動的に前記施行箇所の施行のために必要な断水範囲を断水させるために閉栓する必要がある閉栓仕切弁と閉栓する必要の無い仕切弁である先止弁とを前記の配水管路及び地図が表示された画面上で区別して表示すると共に、前記入力された施行箇所に基づいて前記施行箇所の施行のために断水範囲に含まれる断水配水管と断水範囲に含まれない配水管とを前記の配水管路及び地図が表示された画面上で区別して表示するための閉栓仕切弁及び断水配水管区別表示手段と、
を備えた、先止弁表示機能を備えた配水管路解析システムであって、
前記配水管路データベースは、前記各仕切弁について、その仕切弁が接続されている各配水管との関係でその配水管を断水させるために閉栓する必要がない仕切弁（先止弁）であるかどうかを、各仕切弁の属性情報として記録しておくものであり、
前記閉栓仕切弁及び断水配水管区別表示手段は、
前記施工箇所入力手段により入力された施行箇所を含む施工配水管の両端のそれぞれ先に在る各配水管路について、前記施工配水管と直接に又は他の配水管を介して繋がっている複数の仕切弁について、前記施工配水管に最も近い位置にある仕切弁からより遠い位置にある仕切弁へと順次、前記各配水管路についてそれぞれ閉栓すべき仕切弁又は栓止部が検索されるまで、各仕切弁が前記施工配水管又はこれに近い配水管との関係で前述のような先止弁であるかどうかを前記配水管路データベースを参照し、先止弁ではない仕切弁であって前記施工配水管と「水が双方向に流れる管網」とを繋ぐ経路のそれぞれについて最も前記施工配水管側にある仕切弁を、前記施工配水管の施工のための断水を実施するために閉栓すべき閉栓仕切弁として検索するための閉栓仕切弁検索手段と、
前記施工箇所入力手段により入力された施行箇所を含む施工配水管を起点として、それに最も近い位置にある配水管からより遠い位置にある配水管へと順次、その途中に前記先止弁があるかどうかに拘わらず、その配水管の先が前記閉栓仕切弁又は栓止部に達するまでの各配水管を、断水範囲に含まれる断水配水管として抽出するための断水配水管抽出手段と、
を含むものである、ことを特徴とする先止弁表示機能を備えた配水管路解析システム。
【請求項２】
請求項１において、
前記配水管路データベースは、各配水管に給水管を介して接続されている需要者の情報を各配水管と関連付けて記録しておくものであり、
前記断水配水管抽出手段により抽出された断水配水管に接続されている需要者を抽出するための断水需要者抽出手段と、
前記断水需要者抽出手段からの出力に基づいて、前記配水管路表示手段により表示される配水管路の画面上で、前記施工配水管の施工のために断水されるべき配水管に接続されている需要者の情報をユーザーに提示するための断水需要者提示手段と、
を備えた、ことを特徴とする先止弁表示機能を備えた配水管路解析システム。
【請求項３】
請求項１又は２において、
前記配水管路表示手段は、前記所定領域の配水管路中の仕切弁を「２つの三角形の頂点が互いに接続されて成るマーク」により表示するものであり、しかも、前記仕切弁の中の先止弁の属性を有しない仕切弁は「前記２つの三角形の内部がいずれも白地又は塗りつぶしとなっているマーク」により表示すると共に、前記仕切弁の中の先止弁の属性を有する仕切弁は、「その仕切弁の一方の端部に接続されている配水管との関係でその仕切弁が先止弁の属性を有している場合はその配水管と隣接している側の三角形の内部が白地又は塗りつぶしとなっており、且つ、その仕切弁の他方の端部に接続されている配水管との関係でその仕切弁が先止弁の属性を有していない場合はその配水管と隣接している側の三角形の内部が前記の場合とは逆の態様である塗りつぶし又は白地となっているマーク」により表示するものである、ことを特徴とする先止弁表示機能を備えた配水管路解析システム。
【発明の詳細な説明】
【技術分野】
【０００１】
本発明は、配水管路における配水管の断水と仕切弁の開閉との関連を画面上に提示することにより、水道施設の保守、点検、修理等を効率化に行うことを可能にした先止弁表示機能を備えた配水管路解析システムに関する。
【背景技術】
【０００２】
従来より、画面の電子地図上で施工箇所を入力して、その施工箇所を施工するために断水すべき配水管の範囲と断水の影響を受ける需要者情報の抽出を行うようにしたシステムとして、例えば、工事対象管路をマウスで指示し、工事対象管路付近の管の水圧、流量、流向などを管網計算により計算し、工事対象管を含み弁により閉領域となる弁及び管路を検索して強調表示すると共に、断水需要家の属性情報を一覧表示させる、さらに、前記流向などの情報から、閉栓すべき弁の順序を決定し表示する、というシステムが提案されている（例えば、特許文献１参照）。）
【特許文献１】特許第３０４７９９３号公報
【発明の開示】
【発明が解決しようとする課題】
【０００３】
上記の特許文献１の提案するシステムは、単に、断水範囲内の全ての仕切弁を「断水範囲内の閉止すべき仕切弁」として一律に表示するものであり、断水範囲内の全ての仕切弁の中のどれが本当に閉栓する必要があるものでどれが本当には閉栓する必要がないものかをユーザーに提示する機能は、全く備えていない。すなわち、特許文献１のシステムは、断水範囲を検索して、その中の各管の流向等から弁の閉栓優先度、閉栓順序を決定することを特徴とするもので、断水範囲を断水するために閉栓する必要がある仕切弁と閉栓する必要がない仕切弁とを画面上で分けて提示することは全く目的としていない。
【０００４】
しかしながら、実際の配水管路では、多くの栓止部（水がそれ以上先に流れない部分）が存在するため、断水範囲に含まれる複数の仕切弁の中には、当該断水範囲を断水するために閉栓する必要の無い仕切弁が存在している。一定の断水範囲を断水させるために、閉栓する必要のない仕切弁まで閉栓することは作業の無駄である。そのため、従来は、水道事業者であるユーザーは、断水範囲内の全ての仕切弁が一律に表示されている断水範囲の配水管路図を見ながら、自らの経験に基づいて、閉栓の必要のない仕切弁を配水管路図から目視で見つけて紙の配水管路図などに「閉栓不要」の文字や印を手書きで書き入れることなどを現場で行っていた。しかし、このように各仕切弁についての閉栓が必要かどうかの判断を現場の作業員に委ねたままだと、現場での作業の効率の低下を招いてしまう。
【０００５】
本発明はこのような従来技術の課題を解決するためのものであって、所定の施工箇所又は施工配水管が入力されたとき、その施工のために必要な断水範囲を断水させるために閉栓する必要がある閉栓仕切弁と閉栓する必要の無い仕切弁とを区別してユーザー側に提示すると共に、断水範囲に含まれる全ての配水管を断水配水管としてユーザー側に分かるように画面で表示し、さらに、その断水範囲に含まれる需要家の情報を画面上で一覧表示することを可能にして、現場での水道工事の施工を効率化させることができるようにした先止弁表示機能を備えた配水管路解析システム提供することを目的とする。
【課題を解決するための手段】
【０００６】
以上の課題を解決するための本発明による先止弁表示機能を備えた配水管路解析システムは、両端がそれぞれ他の配水管との接点、仕切弁、又は栓止部によって区切られている複数の配水管と、配水管内の水の流通を制御するために全ての又は一部の配水管の端部に接続された仕切弁と、配水管の一方の端部をそれ以上先に水が流通しないようにするための栓止部とを含む配水管路を地図と関連付けて記録した配水管路データベースと、前記配水管路データベースからのデータに基づいて所定領域の配水管路を地図と関連付けて表示するための配水管路表示手段と、前記配水管路表示手段により所定領域の配水管路が表示された画面上で、前記配水管路の中の施工箇所又はこの施工箇所を含む施工配水管を入力するための施工配水管入力手段と、前記施工配水管入力手段からの入力に基づいて、前記施工配水管と直接に又は他の配水管を介して接続された仕切弁であって、前記施工配水管の施工のための断水を実施するために閉栓すべき閉栓仕切弁を検索するための閉栓仕切弁検索手段と、前記閉栓仕切弁検索手段からの出力に基づいて、前記配水管路表示手段により所定領域の配水管路が表示された画面上で、前記閉栓仕切弁検索手段により検索された閉栓仕切弁を、前記施工配水管の施工のための断水を実施するために閉栓すべき閉栓仕切弁としてユーザー側に提示するための閉栓仕切弁提示手段とを備えており、前記配水管路データベースは、前記各仕切弁について、その仕切弁が接続されている各配水管との関係で「その配水管を断水させるために閉栓する必要が無い仕切弁（先止弁）」であるかどうかを、各仕切弁の属性情報として記録しておくものであり、前記閉栓仕切弁検索手段は、前記施工箇所等指定手段により指定された施工配水管の両端のそれぞれ先に在る各配水管路について、前記施工配水管と直接に又は他の配水管を介して繋がっている複数の仕切弁について、前記施工配水管に最も近い位置にある仕切弁からより遠い位置にある仕切弁へと順次、前記各配水管路についてそれぞれ閉栓すべき仕切弁又は栓止部が検索されるまで、各仕切弁が前記施工配水管又はこれに近い配水管との関係で前述のような先止弁であるかどうかを前記配水管路データベースを参照し、先止弁ではない仕切弁であって前記施工箇配水管と「水が双方向に流れる管網」とを繋ぐ経路のそれぞれについて最も前記施工配水管側にある仕切弁を、前記施工配水管の施工のための断水を実施するために閉栓すべき閉栓仕切弁として検索するものである、ことを特徴とするものである。
【０００７】
また、本発明による先止弁表示機能を備えた配水管路解析システムは、両端がそれぞれ他の配水管との接点、仕切弁、又は栓止部によって区切られている複数の配水管と、配水管内の水の流通を制御するために全ての又は一部の配水管の端部に接続された仕切弁と、配水管の一方の端部をそれ以上先に水が流通しないようにするための栓止部とを含む配水管路を地図と関連付けて記録した配水管路データベースと、前記配水管路データベースからのデータに基づいて所定領域の配水管路を地図と関連付けて表示するための配水管路表示手段と、前記配水管路表示手段により所定領域の配水管路が表示された画面上で、前記配水管路の中の施工箇所又はこの施工箇所を含む施工配水管を入力するための施工配水管入力手段と、前記施工配水管入力手段からの入力に基づいて、前記施工箇所等指定手段により指定された施工配水管の両端のそれぞれ先に在る各配水管路について、前記施工配水管と直接に又は他の配水管を介して繋がっている複数の仕切弁について、前記施工配水管に最も近い位置にある仕切弁からより遠い位置にある仕切弁へと順次、前記各配水管路についてそれぞれ閉栓すべき仕切弁又は栓止部が検索されるまで、各仕切弁が「前記施工配水管を断水させたときに、前記施工配水管とその仕切弁を介して接続されている他の配水管が、その仕切弁を閉栓するかどうかに拘わらず、自動的に断水状態となるような先止弁」であるかどうかを決定し、このような先止弁ではない仕切弁であって前記施工箇配水管と「水が双方向に流れる管網」とを繋ぐ経路のそれぞれについて最も前記施工配水管側にある仕切弁を、前記施工配水管の施工のための断水を実施するために閉栓すべき閉栓仕切弁として検索するための閉栓仕切弁検索手段と、前記閉栓仕切弁検索手段からの出力に基づいて、前記配水管路表示手段により表示される配水管路の画面上で、前記閉栓仕切弁検索手段により検索された閉栓仕切弁のみを、前記施工配水管の施工のための断水を実施するために閉栓すべき閉栓仕切弁としてユーザー側に提示するための閉栓仕切弁提示手段と、を備えたことを特徴とするものである。
【０００８】
また、本発明による先止弁表示機能を備えた配水管路解析システムにおいては、前記施工配水管を起点として、それに最も近い位置にある配水管からより遠い位置にある配水管へと順次、その途中に前記先止弁があるかどうかに拘わらず、その配水管の先が前記閉栓仕切弁又は栓止部に達するまでの各配水管を、断水範囲に含まれる断水配水管として抽出するようにした断水配水管抽出手段と、前記断水配水管抽出手段からの出力に基づいて、前記配水管路表示手段により表示される配水管路の画面上で、前記断水配水管をユーザーに提示するための断水配水管提示手段と、を備えることが望ましい。
【０００９】
また、本発明による先止弁表示機能を備えた配水管路解析システムにおいては、前記配水管路データベースは、各配水管に給水管を介して接続されている需要者の情報を各配水管と関連付けて記録しておくものであり、前記断水配水管抽出手段により抽出された断水配水管に接続されている需要者を抽出するための断水需要者抽出手段と、前記断水需要者抽出手段からの出力に基づいて、前記配水管路表示手段により表示される配水管路の画面上で、前記施工配水管の施工のために断水されるべき配水管に接続されている需要者の情報をユーザーに提示するための断水需要者提示手段と、を備えることが望ましい。
【００１０】
さらに、本発明による先止弁表示機能を備えた配水管路解析システムにおいては、前記配水管路表示手段は、前記所定領域の配水管路中の仕切弁を「２つの三角形の頂点が互いに接続されて成るマーク」により表示するものであり、しかも、前記仕切弁の中の先止弁の属性を有しない仕切弁は「前記２つの三角形の内部がいずれも白地又は塗りつぶしとなっているマーク」により表示すると共に、前記仕切弁の中の先止弁の属性を有する仕切弁は、「その仕切弁の一方の端部に接続されている配水管との関係でその仕切弁が先止弁の属性を有している場合はその配水管と隣接している側の三角形の内部が白地又は塗りつぶしとなっており、且つ、その仕切弁の他方の端部に接続されている配水管との関係でその仕切弁が先止弁の属性を有していない場合はその配水管と隣接している側の三角形の内部が前記の場合とは逆の態様である塗りつぶし又は白地となっているマーク」により表示するものである、ことが望ましい。
【発明の効果】
【００１１】
本発明によれば、所定の施工箇所又は施工配水管が入力されたとき、その施工のために必要な断水範囲を断水させるために閉栓する必要がある閉栓仕切弁と閉栓する必要の無い仕切弁とを区別してユーザー側に提示するようにしたので、従来のように、「水道事業者であるユーザーが、断水範囲内の全ての仕切弁が一律に表示されている断水範囲の配水管路図を見ながら、自らの経験に基づいて、閉栓の必要のない仕切弁を配水管路図から目視で見つけて紙の配水管路図などに閉栓不要の文字や印を手書きで書き入れること」などが不要になり、現場作業員の負担を大幅に軽減して、断水のための作業を大幅に効率化させられるようになる。すなわち、本発明は、所定の施工箇所又は施工配水管が入力されたとき、その施工のために必要な断水範囲を断水させるために閉栓する必要がある閉栓仕切弁と閉栓する必要の無い仕切弁（先止弁）とを自動的に区別してユーザー（水道事業者）側に提示することを可能にし、これにより、「ユーザー側が断水範囲を示す配水管路内にある複数の仕切弁の中でどれが閉栓する必要があるものでどれが閉栓する必要のないものかを自分で判断しなくてはならなかった」という従来のユーザー側の負担を無くして、断水工事の大幅な効率化を達成するものである。
【００１２】
また、本発明では、特に、システム側が、施工配水管を起点として、それに最も近い位置にある配水管からより遠い位置にある配水管へと順次、その途中に前記先止弁があるかどうかに拘わらず、その配水管の先が前記閉栓仕切弁又は栓止部に達するまで、各配水管を断水範囲に含まれる断水配水管として抽出するようにしているので、システム側は、その途中に閉栓する必要のない先止弁を認識した場合でも、その先の配水管を断水配水管として認識することができる。
【００１３】
また、本発明によれば、断水範囲に含まれる全ての配水管を断水配水管としてユーザー側に分かるように画面で表示できるので、ユーザーは、この断水範囲の中のどの仕切弁が閉栓すべきもので、どの仕切弁が閉栓する必要のないものかを、一瞥して容易に視認できるようになる。
【００１４】
また、本発明によれば、断水範囲に含まれる全ての需要家の情報を画面上で一覧表示することができ、この点からも現場での水道工事の効率化が可能になる。
【００１５】
さらに、本発明においては、前記配水管路表示手段は、所定領域の配水管路中の仕切弁を「２つの三角形の頂点が互いに接続されて成るマーク」により表示するものであり、しかも、前記仕切弁の中の先止弁の属性を有しない仕切弁は「前記２つの三角形の内部がいずれも白地又は塗りつぶしとなっているマーク」により表示すると共に、前記仕切弁の中の先止弁の属性を有する仕切弁は、「その仕切弁の一方の端部に接続されている配水管との関係でその仕切弁が先止弁の属性を有している場合はその配水管と隣接している側の三角形の内部が白地又は塗りつぶしとなっており、且つ、その仕切弁の他方の端部に接続されている配水管との関係でその仕切弁が先止弁の属性を有していない場合はその配水管と隣接している側の三角形の内部が前記の場合とは逆の態様である塗りつぶし又は白地となっているマーク」により表示するようにしている。したがって、本発明によれば、ユーザー（水道事業者）又はシステム開発の入力作業を行うオペレータが、その配水管路中に在る個々の仕切弁が先止弁の属性を有するものかどうか、及び、先止弁の属性を有するものとしてどの配水管との関係で先止弁の属性を有するものかを、画面を一瞥しただけで容易に把握できるようになる。特に、システム開発の入力作業を行うオペレータが仕切弁を配水管路と関連付けて入力する作業を行っているとき、自分が現在入力している仕切弁が先止弁として入力されたものか通常の仕切弁として入力されたものかを画面上で容易に把握できるので、仕切弁の属性に関する入力ミスを最小限に抑えることができるようになる。
【発明を実施するための最良の形態】
【００１６】
本発明を実施するための最良の形態は、以下に述べる実施例１で示す形態である。
【実施例１】
【００１７】
図１は本発明の実施例１を示す概略ブロックである。図１において、１は、両端がそれぞれ他の配水管との接点、仕切弁、又は栓止部によって区切られている複数の配水管と、配水管内の水の流通を制御するために全ての又は一部の配水管の端部に接続された仕切弁と、配水管の一方の端部をそれ以上先に水が流通しないようにするための栓止部とを含む配水管路を地図と関連付けて記録した配水管路データベースである。
【００１８】
また、図１において、２はキーボードやマウスなどで構成される表示領域入力部で、都市名・地区名などのキーワードや画面上の地図での指定によりユーザー（水道事業者）が表示を希望する配水管路の領域を入力するための表示領域入力部、３は前記表示領域入力部２から入力された領域に基づいてその領域に対応する配水管路とそれに関連する地図とを配水管路データベース１から検索して取り込むための領域検索部、４は前記領域検索部３からのデータに基づいて前記検索された領域の配水管路と地図をディスプレイ５に表示させるための表示制御部、である。
【００１９】
また、図１において、６はマウスなどのポインティングデバイスで構成され、前記ディスプレイ５に表示された前記の検索された領域の配水管路と地図の画面上で、ユーザーが施工（予定）箇所を入力するための施工箇所入力部、７は前記施工箇所入力部６から入力された施工箇所に基づいて前記配水管路データベースから前記施工箇所を含む配水管（施工配水管）を断水するために閉栓をする必要がある仕切弁を検索するための閉栓仕切弁検索部、８は前記閉栓仕切弁検索部７からの出力に基づいて前記閉栓仕切弁を閉栓したときの断水範囲に含まれる全ての配水管を検索するための断水配水管抽出部、９は前記断水配水管抽出部８からの出力に基づいて前記断水配水管に接続された需要者の氏名・住所・電話番号などの情報を抽出するための断水需要者抽出部、である。
【００２０】
本実施例１では、前記閉栓仕切弁検索部７、前記断水配水管抽出部８、及び前記断水需要者抽出部９からの出力データは、前記表示制御部４にも送られて、前記ディスプレイ５に表示される。
【００２１】
すなわち、本実施例１では、ディスプレイ５画面上で、ユーザーが指定した領域の配水管路及び地図の上に、施工箇所が含まれる配水管を断水させるために閉栓する必要がある閉栓仕切弁、及び、この閉栓仕切弁の閉栓により断水される断水配水管が、前記所定領域の配水管路及び地図の上に重ね合わせ表示される。また、本実施例１では、ディスプレイ５画面の前記所定領域の配水管路及び地図の上に、前記断水配水管に接続された全ての需要者（断水により影響を受ける需要者）を示す表示枠が、例えば色付き、網掛け、斜線などのような、他の需要者の表示枠とは異なるように強調された態様で、重ね合わせ表示される。また、本実施例１では、ディスプレイ５画面上で、ユーザーが指定した領域の配水管路及び地図、施工箇所が含まれる配水管を断水させるために閉栓する必要がある閉栓仕切弁、及び、この閉栓仕切弁の閉栓により断水される断水配水管などが表示された画面の一部に、前記断水配水管に接続された全ての需要者のリストが画面中の小さいウインドウの中に表示される。
【００２２】
次に、本実施例１の動作の一例を図２ａ，図２ｂを参照して説明する。図２ａにおいて、１１，１２，１３，１４は仕切弁、１５は栓止部（それ以上先には水が流れないようにしている部分）、１６は配水管の接点、１７は仕切弁１１と接点１６とを端部とする配水管、１８は接点１６と仕切弁１２とを端部とする配水管、１９は接点１６と仕切弁１３とを端部とする配水管、２０は仕切弁１３と１４とを端部とする配水管、２１は仕切弁１４と栓止部１５とを端部とする配水管、である。なお、前記各仕切弁１１−１４の中で、仕切弁１１の図示左側の配水管２２及び仕切弁１２の図示右側の配水管２３は、それぞれ、水が双方向に流れる管網の一部となっている。
【００２３】
本実施例１では、前記の各仕切弁１１−１４について、それぞれ、それが接続された各配水管との関係で先止弁であるかどうかを属性情報として前記配水管路データベース１に記録させておく。具体的には、前記仕切弁１１，１２は各配水管１７，１８から見て先の下流側では先止状態となっていない通常の仕切弁として記録しておく。また前記仕切弁１３は、配水管１９から見て先の下流側では止水状態であるので先止弁として記録しておく。すなわち、図２ａの符号１３ａで示す白地の三角形のマークは、仕切弁１３が配水管１９から見て先の下流側では先止状態となっていることを示している。また、図２ａの符号１３ｂで示す黒地の三角形のマークは、仕切弁１３が配水管２０からみて先の上流側では先止状態となっていないことを示している。
【００２４】
すなわち、本実施例１では、図２ａにおいて、先止状態となっていない仕切弁１１，１２は、２つの三角形の内部がいずれも白地となっているマークにより表示されている。また、仕切弁１３は、配水管１９から見て先（の下流側）では先止状態となっているので、配水管１９と隣接している側の三角形１３ａの内部が白地となっており、且つ、仕切弁１３の他方の端部に接続されている配水管２０からみて先（の上流側）では先止状態となっていないので、配水管２０と隣接している側の三角形１３ｂの内部が前記の場合とは逆の態様である塗りつぶし（黒地）となっているマークにより表示するようにしている（なお、以上のことは、仕切弁１３以外の他の先止弁の属性を有する仕切弁についても、同様である）。
【００２５】
同様に、仕切弁１４は配水管２０から見て先（の下流側）では先止状態となっており、配水管２１から見て先（の上流側）では先止状態となっていないことを示している。
【００２６】
今、ユーザーが図１の施工箇所入力部６により図２ａの符号２２ａで示す箇所を工事箇所として入力したとすると、図１の閉栓仕切弁検索部７は、前記工事箇所２２ａが含まれる配水管１９を断水するために閉栓する必要がある閉栓仕切弁を検索する。
前記閉栓仕切弁検索部７は、まず、前記施工配水管１９の図示上方の配水管路（前記施工配水管１９の仕切弁１３側の端部の先（の下流側）にある配水管路）について、閉栓すべき仕切弁の検索を次のように行う。
まず、前記閉栓仕切弁検索部７は、前記配水管１９の図示上方の端部に接続されている仕切弁１３を認識し、先止弁であるか否か、その属性情報を前記配水管路データベース１から参照する。そして、この仕切弁１３が配水管１９との関係で先止弁であることを認識すると、その仕切弁１３の下流側の配水管２０の更に下流側にある仕切弁１４の属性情報を配水管路データベース１から参照する。そして、この仕切弁１４が配水管２０との関係では先止弁であることを認識すると、その仕切弁１４の下流側にある配水管２１の更に下流側にある栓止部１５を認識する。この栓止部１５より先は水が流れないので、前記閉栓仕切弁検索部７は、前記配水管１９の図示上方については閉栓すべき仕切弁が無いと判断して、前記配水管１９の図示上方の配水管路についての閉栓すべき仕切弁の検索をここで終了する。
【００２７】
次に、前記閉栓仕切弁検索部７は、前記施工配水管１９の図示下方の配水管路（前記施工配水管１９の接点１６の上流側にある配水管路）について、閉栓すべき仕切弁の検索を次のように行う。
まず、前記閉栓仕切弁検索部７は、前記配水管１９の図示左下の配水管１７の先（前記配水管１９から見て配水管１７の上流側）に位置している仕切弁１１を認識し、この仕切弁１１の属性情報を前記配水管路データベース１から参照して、この仕切弁１１が配水管１７との関係で（したがって配水管１９との関係で）普通の仕切弁、つまり先止弁ではないと認識し、閉栓すべき仕切弁と判断する。
また、前記閉栓仕切弁検索部７は、前記配水管１９の図示右下の配水管１８の先（前記配水管１９から見て配水管１８の上流側）に位置している仕切弁１２を認識し、この仕切弁１２の属性情報を前記配水管路データベース１から参照して、この仕切弁１２が配水管１８との関係で（したがって配水管１９との関係で）普通の仕切弁、つまり先止弁ではないと認識し、閉栓すべき仕切弁と判断する。
ここで、前記配水管１９の図示下方の配水管路についての閉栓すべき仕切弁の検索を終了する。
【００２８】
以上の前記閉栓仕切弁検索部７からの出力に基づいて、前記表示制御部４は、図２ａに示すように、仕切弁１１，１２を、工事箇所２２ａを含む配水管１９を断水させるために閉栓すべき仕切弁として画面上に表示すると共に、他の仕切弁１３，１４については閉栓する必要のない先止弁であることをユーザー側に画面上で提示する（ディスプレイ５画面の配水管路上に仕切弁１３，１４を表示しながら「閉栓」の表示をしないことにより、又は「非閉栓」という文字を仕切弁１３，１４の近傍に表示することにより、ユーザー側は仕切弁１３，１４が先止弁であることを理解できる）。
【００２９】
また、図１の断水配水管抽出部８は、前記閉栓仕切弁検索部７からの出力に基づいて、前記閉栓すべき仕切弁１１，１２を閉栓したときの断水範囲に含まれる全ての配水管を抽出する。図２ａの例では、前記断水配水管抽出部８は、前記施工配箇所２２ａを含む施工配水管１９を起点として、その図示下方の配水管路（前記施工配水管１９の接点１６側の端部の先に在る配水管路）に在る配水管１７，１８をそれぞれ断水配水管として認識し、その先の閉栓すべき仕切弁１１，１２を認識してその先の検索を終了する。また、前記断水配水管抽出部８は、前記施工配箇所２２ａを含む施工配水管１９を起点として、その図示上方の配水管路（前記施工配水管１９の仕切弁１３側の端部の先に在る配水管路）に在る先止弁１３の先に在る配水管２０を認識し、更にその先の先止弁１４の先に在る配水管２１を認識し、その先の栓止部１５を認識したところで検索を終了する。
【００３０】
このようにして、前記断水配水管抽出部８は、結局、前記の２つの閉栓すべき仕切弁１１，１２と栓止部１５とに挟まれている配水管１７，１８，１９，２０，及び２１を、断水範囲に含まれる断水配水管として抽出する。そして、この抽出された断水配水管１７，１８，１９，２０，及び２１は、表示制御部４により、ディスプレイ５画面の配水管路上に断水範囲として表示される（図２ａの例では、断水範囲の配水管は破線で示されている。なお、本発明では、前記断水配水管を、破線以外の方法、例えば通常の配水管とは異なる色の実線で表示するなど様々な態様で強調表示するようにしてもよい）。
【００３１】
また、図１の断水需要者抽出部９は、前記断水配水管抽出部８からの出力に基づいて、前記断水配水管１７，１８，１９，２０，及び２１に給水管と水道メータを介して接続されている需要者（図２ａのＡ，Ｂ，Ｃ，Ｄ，Ｅ，Ｆ参照）の情報（氏名、住所、電話番号など）を、前記配水管路データベース１（各配水管とその配水管に接続されている需要者情報とを互いに関連付けて記録している）を参照して、抽出する。そして、この抽出結果に基づいて、ディスプレイ５画面の前記所定領域の配水管路及び地図の上に、前記断水配水管１７，１８，１９，２０，及び２１に接続された全ての需要者Ａ−Ｆを示す表示枠が、例えば斜線などで他の需要者の表示枠とは異なるように強調された態様で、重ね合わせ表示される。また、前記の需要者の抽出結果は、表示制御部４に送られて、表示制御部４により、ディスプレイ５画面の中の小さいウインドウの中にリスト（図２ｂ参照）の形で表示される。
【００３２】
次に、本実施例１の動作の他の例を図３ａ，図３ｂを参照して説明する。図３ａにおいて、図２ａと共通する部分には同一の符号を付して説明を省略する。今、ユーザーが図１の施工箇所入力部６により図３ａの符号２２ｂで示す部分を工事箇所として入力したとする。この場合、図１の閉栓仕切弁検索部７が、前記の工事箇所２２ｂが含まれる配水管２０を断水するために閉栓する必要がある仕切弁を次のようにして検索する。
前記閉栓仕切弁検索部７は、まず、前記施工配水管２０の図示下方の配水管路（前記施工配水管２０の仕切弁１３側の先の下流側に在る配水管路）について、前記配水管２０の図示下方にある仕切弁１３を認識し、この仕切弁１３の属性情報を前記配水管路データベース１から参照する。
そして、前記閉栓仕切弁検索部７は、この仕切弁１３が配水管２０との関係で普通の仕切弁（先止弁ではない）と認識し、閉栓すべき仕切弁と判断し、前記配水管２０の図示下方の配水管路についての閉栓すべき仕切弁の検索をここで終了する。
【００３３】
また、前記閉栓仕切弁検索部７は、前記施工配水管２０の図示上方の配水管路（前記施工配水管２０の下流側に在る配水管路）について、前記配水管２０の図示上方（下流側）にある仕切弁１４を認識し、この仕切弁１４の属性情報を前記配水管路データベース１から参照する。そして、前記閉栓仕切弁検索部７は、この仕切弁１４が前記配水管２０との関係では先止弁であることを認識すると、更にその仕切弁１４の先の下流側の仕切弁を検索する。そして、前記閉栓仕切弁検索部７は、この先止弁である仕切弁１４の先の下流側に位置する配水管２１の更に先の下流側にある栓止部１５を認識する。この栓止部１５はそれより先には水を流通させないので、前記閉栓仕切弁検索部７は前記配水管２０の図示上方の配水管路についての閉栓すべき仕切弁の検索をここで終了する。
【００３４】
以上のようにして、前記閉栓仕切弁検索部７は、結局、前記の工事箇所２２ｂを含む配水管２０を断水させるために閉栓する必要がある仕切弁として、仕切弁１３のみを検索する。表示制御部４は、前記閉栓仕切弁検索部７からの出力を受けて、ディスプレイ５画面上で、前記仕切弁１３を閉栓すべき仕切弁として表示すると共に、他の仕切弁１４は閉栓する必要のない先止弁としてユーザー側に提示する。
【００３５】
また、前記断水配水管抽出部８は、前記閉栓仕切弁検索部７からの出力に基づいて、前記工事箇所２２ｂを含む配水管２０を起点として、それに続く図示下方の配水管路（前記施工配水管２０の仕切弁１３側の端部の先に在る配水管路）の中に在る断水配水管を検索するが、前記配水管２０の下方には閉栓すべき仕切弁１３が接続されているので、ここで前記配水管２０の図示下方の配水管路についての断水配水管の検索を終了する。また、前記断水配水管抽出部８は、前記閉栓仕切弁検索部７からの出力に基づいて、前記工事箇所２２ｂを含む配水管２０を起点として、それに続く図示上方の配水管路（前記施工配水管２０の仕切弁１４側の端部の先に在る配水管路）の中に在る断水配水管を検索し、前記配水管２０の上方の仕切弁１４を認識するが、この仕切弁１４は先止弁であるため、その先の配水管２１を認識する。次に、前記断水配水管抽出部８は、この配水管２１の更に先に在る栓止部１５を認識するが、この栓止部１５はそれ以上は先に水を流さない部分なので、ここで前記配水管２０の図示上方の配水管路についての断水配水管の検索を終了する。
【００３６】
このようにして、前記断水配水管抽出部８は、結局、前記閉栓すべき仕切弁１３と栓止部１５とに挟まれた配水管２０，２１を、前記配水管２０を断水させるときの断水範囲に含まれる配水管として抽出する。表示制御部４は、この断水配水管抽出部８からの出力に基づいて、ディスプレイ５画面上で、前記抽出された配水管２０，２１を断水予定の配水管として破線等で強調表示する（図３ａの２０，２１参照）。
【００３７】
また、前記断水需要者抽出部９は、前記断水配水管抽出部８からの出力に基づいて、前記断水配水管２０，２１に接続された需要者情報を配水管路データベース１を参照して抽出し、その抽出した需要者情報を表示制御部４に送信する。表示制御部４は、この送信されてきた需要者情報に基づいて、ディスプレイ５画面の前記所定領域の配水管路及び地図の上に、前記断水配水管２０，２１に接続された全ての需要者Ａ−Ｄを示す表示枠が、例えば斜線により他の需要者（Ｅ，Ｆなど）の表示枠とは異なるように強調された態様で、重ね合わせ表示される。また、前記抽出された需要者の情報は、表示制御部４により、ディスプレイ５画面上でリストの形（図３ｂ参照）で表示させる。
【００３８】
次に、本実施例１の動作のさらに他の例を図４ａ，図４ｂを参照して説明する。図４ａにおいて、図２ａと共通する部分には同一の符号を付して説明を省略する。今、ユーザーが図１の施工箇所入力部６により図４ａの符号２２ｃで示す部分を工事箇所として入力したとする。この場合、まず、図１の閉栓仕切弁検索部７が、前記の工事箇所２２ｃが含まれる配水管２１を断水するために閉栓する必要がある仕切弁を次のようにして検索する。
前記閉栓仕切弁検索部７は、まず、前記配水管２１の図示下方の配水管路（前記施工配水管２１の上流側に在る配水管路）について、前記配水管２１の図示下方（上流側）にある仕切弁１４を認識し、この仕切弁１４の属性情報を前記配水管路データベース１から参照する。そして、前記閉栓仕切弁検索部７は、この仕切弁１４が配水管２１との関係では普通の仕切弁（先止弁ではない）と認識し、閉栓すべき仕切弁と判断し、前記配水管２１の図示下方の配水管路についての閉栓すべき仕切弁の検索をここで終了する。
【００３９】
また、前記閉栓仕切弁検索部７は、前記配水管２１の図示上方（前記施工配水管２１の下流側）について、前記配水管２１の図示上方（下流側）にある栓止部１５を認識する。この栓止部１５はそれより先の下流側には水を流通させないので、前記閉栓仕切弁検索部７は、前記配水管２１の図示上方の配水管路については閉栓すべき仕切弁は存在しないと認識し、前記配水管２１の図示上方の配水管路についての閉栓すべき仕切弁の検索をここで終了する。
【００４０】
以上のようにして、前記閉栓仕切弁検索部７は、結局、前記の工事箇所２２ｃを含む配水管２１を断水させるために閉栓する必要がある仕切弁として、仕切弁１４のみを検索する。表示制御部４は、前記閉栓仕切弁検索部７からの出力を受けて、ディスプレイ５画面上で、前記仕切弁１４のみを閉栓すべき仕切弁として表示する。
【００４１】
また、前記断水配水管抽出部８は、前記閉栓仕切弁検索部７からの出力に基づいて、前記工事箇所２２ｃを含む配水管２１を起点として、その図示下方の配水管路（前記施工配水管２１の仕切弁１４側の端部の先に在る配水管路）の中に在る断水配水管を検索するが、前記配水管２１の下方には閉栓すべき仕切弁１４があるので、ここでその検索を終了する。また、前記断水配水管抽出部８は、前記閉栓仕切弁検索部７からの出力に基づいて、前記工事箇所２２ｃを含む配水管２１を起点として、その図示上方（前記施工配水管２１の栓止部１５側の端部の先）について断水配水管を検索するが、前記配水管２１の上方には栓止部１５があるので、ここでその検索を終了する。
【００４２】
このようにして、前記断水配水管抽出部８は、結局、前記閉栓すべき仕切弁１４と栓止部１５とに挟まれた配水管２１のみを、前記配水管２１を断水させるときの断水範囲に含まれる配水管として抽出する。表示制御部４は、この断水配水管抽出部８からの出力に基づいて、ディスプレイ５画面上で、前記抽出された配水管２１を断水予定の配水管として破線等で強調表示する（図４ａの２１参照）。
【００４３】
また、前記断水需要者抽出部９は、前記断水配水管抽出部８からの出力に基づいて、前記断水配水管２１に接続された需要者情報を配水管路データベース１を参照して抽出し、その抽出した需要者情報を表示制御部４に送信する。表示制御部４は、この送信されてきた需要者情報に基づいて、ディスプレイ５画面の前記所定領域の配水管路及び地図の上に、前記断水配水管２１に接続された需要者Ａ，Ｂを示す表示枠が、例えば斜線により他の需要者（Ｃ−Ｆなど）の表示枠とは異なるように強調された態様で、重ね合わせ表示される。また、前記抽出された需要者の情報は、表示制御部４により、ディスプレイ５画面上でリストの形（図４ｂ参照）で表示させる。
【００４４】
次に、本実施例１のさらに他の動作を図５ａ，５ｂを参照して説明する。図５ａにおいて、３１−３９は仕切弁、４０−４９は各配水管の接点、Ａ−Ｋは各配水管に給水管と水道メータを介して接続された需要者を示している。
【００４５】
また、図５ａにおいて、５０は仕切弁３１と接点４０とを端部とする配水管、５１は仕切弁３２と接点４０を端部とする配水管、５２は接点４０と仕切弁３３とを端部とする配水管、５３は仕切弁３３と接点４１とを端部とする配水管、５４は接点４１と接点４２を端部とする配水管、５５は接点４２と接点４３とを端部とする配水管、５６は接点４１と仕切弁３４とを端部とする配水管、５７は仕切弁３４と接点４４とを端部とする配水管、５８は接点４２と仕切弁３５とを端部とする配水管、５９は仕切弁３５と接点４５とを端部とする配水管、６０は接点４３と仕切弁３６とを端部とする配水管、６１は仕切弁３６と接点４６とを端部とする配水管、６２は接点４４と接点４５とを端部とする配水管、６３は接点４５と接点４６とを端部とする配水管、６４は接点４４と仕切弁３７とを端部とする配水管、６５は仕切弁３７と接点４７とを端部とする配水管、６６は接点４５と仕切弁３８とを端部とする配水管、６７は仕切弁３８と接点４８とを端部とする配水管、６８は接点４６と仕切弁３９とを端部とする配水管、６９は仕切弁３９と接点４９とを端部とする配水管、７０は接点４７と接点４８とを端部とする配水管、７１は接点４８と接点４９とを端部とする配水管、である。
【００４６】
図５ａにおいて、仕切弁３１の図示左側の配水管７３と仕切弁３２の図示右側の配水管７４とはそれぞれ「水が双方向に流れる管網」の一部となっている。また、図５ａにおいて、配水管５２より図示上方の部分は、この管網と配水管５２のみを介して繋がっている。
【００４７】
また、図１の配水管路データベース１の中で、仕切弁３１及び３２の属性情報は、配水管５０及び５１との関係でそれぞれ通常の仕切弁（先切弁ではないもの）として記録されている。
また、前記配水管路データベース１の中で、仕切弁３３の属性情報は、配水管５２から見て先の下流側では先止状態となっているので配水管５２との関係で先止弁として記録され、配水管５３から見て先の上流側では先止状態となっていないので配水管５３との関係で通常の仕切弁として記録されている。
また、前記配水管路データベース１の中で、仕切弁３４の属性情報は、配水管５６から見て先の下流側では先止状態となっているので配水管５６との関係で先止弁として記録され、配水管５７から見て先の上流側では先止状態となっていないので配水管５７との関係で通常の仕切弁として記録されている。
また、前記配水管路データベース１の中で、仕切弁３５の属性情報は、配水管５８から見て先の下流側では先止状態となっているので配水管５８との関係で先止弁として記録され、配水管５９から見て先の上流側では先止状態となっていないので配水管５９との関係で通常の仕切弁として記録されている。
また、前記配水管路データベース１の中で、仕切弁３６の属性情報は、配水管６０から見て先の下流側では先止状態となっているので配水管６０との関係で先止弁として記録され、配水管６１から見て先の上流側では先止状態となっていないので配水管６１との関係で通常の仕切弁として記録されている。
また、前記配水管路データベース１の中で、仕切弁３７の属性情報は、配水管６４から見て先の下流側では先止状態となっているので配水管６４との関係で先止弁として記録され、配水管６５から見て先の上流側では先止状態となっていないので配水管６５との関係で通常の仕切弁として記録されている。
また、前記配水管路データベース１の中で、仕切弁３８の属性情報は、配水管６６から見て先の下流側では先止状態となっているので配水管６６との関係で先止弁として記録され、配水管６７から見て先の上流側では先止状態となっていないので配水管６７との関係で通常の仕切弁として記録されている。
また、前記配水管路データベース１の中で、仕切弁３９の属性情報は、配水管６８から見て先の下流側では先止状態となっているので配水管６８との関係で先止弁として記録され、配水管６９から見て先の上流側では先止状態となっていないので配水管６９との関係で通常の仕切弁として記録されている。
【００４８】
以上に説明した図５ａの配水管路の解析のために本実施例１を適用したときの動作を次に説明する。今、ユーザーが図１の施工箇所入力部６により図５ａの符号７２ａで示す工事箇所を入力したとする。すると、図１の閉栓仕切弁検索部７は、この工事箇所７２ａが含まれる配水管５２を断水させるために閉栓させるべき仕切弁を検索する。
前記閉栓仕切弁検索部７は、まず、前記配水管５２の図示下方の配水管路（前記施工配水管５２の接点４０側の端部の先の上流側に在る配水管路）について、仕切弁３１，３２を認識し、この仕切弁３１，３２の属性情報を配水管路データベース１から参照する。すると、この仕切弁３１，３２はそれぞれ各配水管５０，５１との関係で通常の仕切弁の属性を有しているから、前記閉栓仕切弁検索部７は、この仕切弁３１，３２を閉栓すべき仕切弁だと認識する。
【００４９】
次に、前記閉栓仕切弁検索部７は、前記配水管５２の図示上方の配水管路（前記施工配水管５２の仕切弁３３側の端部の先の下流側に在る配水管路）について、仕切弁３３を認識し、この仕切弁３３の属性情報を配水管路データベース１から参照する。すると、この仕切弁３３は配水管５２との関係で先止弁の属性を有しているので、前記閉栓仕切弁検索部７は、前記仕切弁３３は先止弁であると認識し、閉栓する必要はないと判断する。
そこで、次に、前記閉栓仕切弁検索部７は、前記仕切弁３３の更に先の下流側にある仕切弁３４，３５，３６を認識し、これらの仕切弁３４，３５，３６の属性情報を配水管路データベース１から参照する。すると、これらの仕切弁３４，３５，３６は、それよりも前記配水管５３側（上流側）にある各配水管５６，５８，６０との関係でいずれも先止弁の属性を有しているので、前記閉栓仕切弁検索部７は前記各仕切弁３４，３５，３６は先止弁であると認識し、閉栓する必要はないと判断する。
そこで、次に、前記閉栓仕切弁検索部７は、前記各仕切弁３４，３５，３６の更に先の下流側にある仕切弁３７，３８，３９を認識し、これらの仕切弁３７，３８，３９の属性情報を配水管路データベース１から参照する。すると、これらの仕切弁３７，３８，３９は、それよりも前記配水管５３側（上流側）にある各配水管６４，６６，６８との関係でいずれも先止弁の属性を有しているので、前記閉栓仕切弁検索部７は前記各仕切弁３７，３８，３９は先止弁であると認識し、閉栓する必要はないと判断する。
次に、前記閉栓仕切弁検索部７は、前記各仕切弁３７，３８，３９の更に先の下流側にある仕切弁を探そうとするが、前記各仕切弁３７，３８，３９の先には各配水管６５，６７，６９，７０，７１があるだけでこれらの各配水管により「一種の栓止部」となっているので、ここで前記の検索を終了する。
【００５０】
以上の検索から、前記閉栓仕切弁検索部７は、前記仕切弁３１，３２のみを閉栓すべき仕切弁として出力する。表示制御部４は、この出力を受けて、図５ａのような配水管路の画面上で、前記仕切弁３１，３２だけを閉栓すべき仕切弁として表示すると共に、これら以外の仕切弁３３−３９は閉栓する必要のない先止弁としてユーザー側に提示する（例えば、仕切弁３３−３９の近傍に「非閉栓」の文字を表示する）。
【００５１】
また、図１の断水配水管抽出部８は、前記閉栓仕切弁検索部７からの出力に基づいて、前記工事箇所７２ａを含む配水管５２を起点としてその図示下方と図示上方の配水管路（前記施工配水管５２の両端部の先に在る配水管路）のそれぞれについて断水範囲となる配水管を、配水管５２に近い側から遠い側へと順次認識・検索して行く（その際、先止弁についてはその先にある配水管についての検索を続行し、閉栓すべき仕切弁又は先止弁に達したときは検索を終了する）。そして、前記断水配水管抽出部８は、結局、前記の閉栓すべき仕切弁３１，３２と前記「一種の栓止部」を形成している各配水管６５，６７，６９，７０，７１とにより挟まれている配水管と前記「一種の栓止部」を形成している各配水管とを合わせた配水管５０−７１を、工事箇所７２ａを含む配水管５２を断水させるために必要な断水範囲に含まれる配水管として検索する。表示制御部４は、この断水配水管抽出部８からの出力を受けて、図５ａのような配水管路の画面上で、配水管５０−７１を断水配水管として破線等で強調表示する。
【００５２】
また、図１の断水需要者抽出部９は、前記断水配水管抽出部８からの出力に基づいて、断水配水管５０−７１にそれぞれ接続されている需要者（断水による影響を受ける需要者）の情報を配水管路データベース１から抽出し、表示制御部４に送信する。表示制御部４は、この送信されてきた需要者情報に基づいて、ディスプレイ５画面の前記所定領域の配水管路及び地図の上に、前記断水配水管５０−７１に接続された全ての需要者Ａ−Ｑを示す表示枠が、例えば斜線により他の需要者の表示枠とは異なるように強調された態様で、重ね合わせ表示される。また、表示制御部４は、前記の断水需要者抽出部９からの出力に基づいて、前記抽出された需要者のリスト（図５ｂ参照）を、図５ａのような配水管路の画面の中の小さなウインドウの中で表示させる。
【００５３】
次に、本実施例１のさらに他の動作を図６ａ，６ｂを参照して説明する。今、ユーザーが図１の施工箇所入力部６により図６ａの符号７２ｂで示す工事箇所を入力したとする。すると、図１の閉栓仕切弁検索部７は、この工事箇所７２ｂが含まれる配水管５４を断水させるために閉栓させるべき仕切弁を次のように検索する。
前記閉栓仕切弁検索部７は、前記施工配水管５４の図示下方の配水管路（前記施工配水管５４の接点４１側の端部の先の上流側に在る配水管路）について、配水管５４と接点４１を介して接続されている配水管５３の下端部に接続された仕切弁３３を認識し、この仕切弁３３の属性情報を配水管路データベース１から参照する。すると、この仕切弁３３は配水管５３との関係で通常の仕切弁の属性を有しているから、前記閉栓仕切弁検索部７は、この仕切弁３３を閉栓すべき仕切弁だと認識し、前記配水管５４の図示下方の配水管路についての閉栓すべき仕切弁の検索はここで終了する。
【００５４】
次に、前記閉栓仕切弁検索部７は、前記配水管５４の図示右方の配水管路（前記施工配水管５４の接点４２側の端部の先の下流側に在る各配水管路）のそれぞれについて、仕切弁３４，３５，３６を認識し、これらの仕切弁３４，３５，３６の属性情報を配水管路データベース１から参照する。すると、これらの仕切弁３４，３５，３６は、それよりも前記配水管５４側（上流側）にある各配水管５６，５８，６０との関係でいずれも先止弁の属性を有しているので、前記閉栓仕切弁検索部７は前記各仕切弁３４，３５，３６は先止弁と認識し、閉栓する必要はないと判断する。
そこで、次に、前記閉栓仕切弁検索部７は、前記各仕切弁３４，３５，３６の更に先の下流側にある仕切弁３７，３８，３９を認識し、これらの仕切弁３７，３８，３９の属性情報を配水管路データベース１から参照する。すると、これらの仕切弁３７，３８，３９は、それよりも前記配水管５４側（上流側）にある各配水管６４，６６，６８との関係でいずれも先止弁の属性を有しているので、前記閉栓仕切弁検索部７は前記各仕切弁３７，３８，３９は先止弁と認識し、閉栓する必要はないと判断する。
そこで、次に、前記閉栓仕切弁検索部７は、前記各仕切弁３７，３８，３９の更に先（下流側）にある仕切弁を探そうとするが、前記各仕切弁３７，３８，３９の先の下流側には各配水管６５，６７，６９，７０，７１があるだけで、これらの各配水管６５，６７，６９，７０，７１により「一種の栓止部」が形成されているので、ここで前記配水管５４の図示上右方の配水管路についての閉栓すべき仕切弁の検索を終了する。
【００５５】
以上の検索から、前記閉栓仕切弁検索部７は、前記仕切弁３３のみを閉栓すべき仕切弁として出力する。表示制御部４は、この出力を受けて、図６ａのような配水管路の画面上で、前記仕切弁３３だけを閉栓すべき仕切弁として表示すると共に、これら以外の仕切弁３４−３９は閉栓する必要のない先止弁としてユーザー側に提示する。
【００５６】
また、図１の断水配水管抽出部８は、前記閉栓仕切弁検索部７からの出力に基づいて、前記工事箇所７２ｂを含む施工配水管５４を起点として、前記施工配水管５４の両端部の先に在る配水管路のそれぞれについて、前記施工配水管５４に近い配水管から遠い配水管へと順次断水範囲に入る配水管を認識・検索して行く（その際、先止弁についてはその先にある配水管の検索を続行し、閉栓すべき仕切弁又は先止弁に達したときは検索を終了する）。その結果、前記断水配水管抽出部８は、前記の閉栓すべき仕切弁３３と前記「一種の栓止部」を形成している各配水管６５，６７，６９，７０，７１とにより挟まれている配水管と前記「一種の栓止部」を形成している各配水管とを合わせた配水管５３−７１を、工事箇所７２ｂを含む配水管５４を断水させるために必要な断水範囲に含まれる配水管として検索する。表示制御部４は、この断水配水管抽出部８からの出力を受けて、図６ａのような配水管路の画面上で、配水管５３−７１を断水配水管として破線等で強調表示する。
【００５７】
また、図１の断水需要者抽出部９は、前記断水配水管抽出部８からの出力に基づいて、断水配水管５３−７１にそれぞれ接続されている需要者（断水による影響を受ける需要者）の情報を配水管路データベース１から抽出し、表示制御部４に送信する。表示制御部４は、この送信されてきた需要者情報に基づいて、ディスプレイ５画面の前記所定領域の配水管路及び地図の上に、前記断水配水管５３−７１に接続された全ての需要者Ｃ−Ｑを示す表示枠が、例えば斜線により他の需要者（Ａ，Ｂなど）の表示枠とは異なるように強調された態様で、重ね合わせ表示される。また、表示制御部４は、前記の断水需要者抽出部９からの出力に基づいて、前記抽出された需要者のリスト（図６ｂ参照）を、図６ａのような配水管路の画面の中の小さなウインドウの中で表示させる。
【００５８】
次に、本実施例１のさらに他の動作を図７ａ，７ｂを参照して説明する。今、ユーザーが図１の施工箇所入力部６により図７ａの符号７２ｃで示す工事箇所を入力したとする。すると、図１の閉栓仕切弁検索部７は、この工事箇所７２ｃが含まれる配水管６２を断水させるために閉栓させるべき仕切弁を、次のように検索する。
前記閉栓仕切弁検索部７は、まず、前記工事箇所７２ｃを含む配水管６２の図示左方の配水管路（前記施工配水管６２の接点４４側の端部の先の上流側に在る配水管路）のそれぞれについて、配水管６２と接点４４，４５を介して接続されている配水管５７，５９の端部に接続された仕切弁３４，３５、及び、配水管６２と接点４５，配水管６３、及び接点４６を介して接続されている配水管６１の端部に接続された仕切弁３６を認識し、これらの各仕切弁３４，３５，３６の属性情報を配水管路データベース１から参照する。
すると、これらの各仕切弁３４，３５，３６はそれぞれ各配水管５７，５９，６１との関係で通常の仕切弁の属性を有しているから、前記閉栓仕切弁検索部７は、これらの各仕切弁３４，３５，３６を閉栓すべき仕切弁だと認識する。
【００５９】
次に、前記閉栓仕切弁検索部７は、前記工事箇所７２ｃを含む施工配水管６２の図示右方の配水管路（前記施工配水管６２の接点４５側の端部の先の下流側に在る配水管路）のそれぞれについて、前記配水管６２と接点４４，４５を介して接続されている配水管６４，６６の端部に接続された仕切弁３７，３８、及び、前記配水管６２と接点４５，配水管６３、及び接点４６を介して接続されている配水管６８の端部に接続された仕切弁３９を認識し、これらの各仕切弁３７，３８，３９の属性情報を配水管路データベース１から参照する。
すると、これらの仕切弁３７，３８，３９は、それよりも前記配水管６２側（上流側）にある各配水管６４，６６，６８との関係でいずれも先止弁の属性を有しているので、前記閉栓仕切弁検索部７は前記各仕切弁３７，３８，３９は先止弁と認識し、閉栓する必要はないと判断する。
そこで、次に、前記閉栓仕切弁検索部７は、前記各仕切弁３７，３８，３９の更に先（下流側）にある仕切弁を探そうとするが、前記各仕切弁３７，３８，３９の先（下流側）には各配水管６５，６７，６９，７０，７１があるだけで（仕切弁は存在しない）、これらの各配水管６５，６７，６９，７０，７１により「一種の栓止部」が形成されているので、そこで前記配水管６２の図示右方の配水管路についての閉栓すべき仕切弁の検索を終了する。
【００６０】
以上の検索から、前記閉栓仕切弁検索部７は、前記仕切弁３４，３５，３６のみを閉栓すべき仕切弁として出力する。表示制御部４は、この出力を受けて、図７ａのような配水管路の画面上で、前記仕切弁３４，３５，３６だけを閉栓すべき仕切弁として表示すると共に、これら以外の仕切弁３７，３８，３９は閉栓する必要のない先止弁としてユーザー側に提示する（例えば、画面上で、「非閉栓」という文字を前記各先止弁３７，３８，３９の近傍に表示する）。
【００６１】
また、図１の断水配水管抽出部８は、前記閉栓仕切弁検索部７からの出力に基づいて、前記工事箇所７２ｃを含む施工配水管６２を起点として、前記施工配水管６２の両端部の先に在る配水管路のそれぞれについて、前記施工配水管６２に近い配水管から遠い配水管へと順次断水範囲に入る配水管を認識・検索して行く（その際、先止弁についてはその先にある配水管の検索を続行し、閉栓すべき仕切弁又は先止弁に達したときは検索を終了する）。その結果、前記断水配水管抽出部８は、前記の閉栓すべき仕切弁３４，３５，３６と前記「一種の栓止部」を形成している各配水管６５，６７，６９，７０，７１とにより挟まれている配水管と前記「一種の栓止部」を形成している各配水管とを合わせた配水管５７，５９，及び６１−７１を、前記配水管６２を断水させるために必要な断水範囲に含まれる配水管として検索する。表示制御部４は、この断水配水管抽出部８からの出力を受けて、図７ａのような配水管路の画面上で、配水管５７，５９，及び６１−７１を断水配水管として破線等で強調表示する。
【００６２】
また、図１の断水需要者抽出部９は、前記断水配水管抽出部８からの出力に基づいて、断水配水管５７，５９，及び６１−７１にそれぞれ接続されている需要者（断水による影響を受ける需要者）の情報を配水管路データベース１から抽出し、表示制御部４に送信する。表示制御部４は、この送信されてきた需要者情報に基づいて、ディスプレイ５画面の前記所定領域の配水管路及び地図の上に、前記断水配水管５７，５９，及び６１−７１に接続された全ての需要者Ｃ，Ｅ，Ｆ，Ｈ，Ｉ，Ｋ，Ｍ，Ｎ，Ｏ，及びＱを示す表示枠が、例えば斜線により他の需要者（Ａ，Ｂ，Ｄ，Ｇ，Ｊ，Ｌ，Ｐ）の表示枠とは異なるように強調された態様で、重ね合わせ表示される。また、表示制御部４は、前記の断水需要者抽出部９からの出力に基づいて、前記抽出された需要者のリスト（図７ｂ参照）を、図７ａのような配水管路の画面の中の小さなウインドウの中で表示させる。
【００６３】
次に、本実施例１のさらに他の動作を図８ａ，８ｂを参照して説明する。今、ユーザーが図１の施工箇所入力部６により図８ａの符号７２ｄで示す工事箇所を入力したとする。すると、図１の閉栓仕切弁検索部７は、この工事箇所７２ｄが含まれる施工配水管７０を断水させるために閉栓させるべき仕切弁を、次のように検索する。
前記閉栓仕切弁検索部７は、まず、前記工事箇所７２ｄを含む施工配水管７０の図示左方の配水管路（前記施工配水管７０の接点４７，４８側の端部の先の上流側に在る配水管路）のそれぞれについて、配水管７０と接点４７，４８を介して接続されている配水管６５，６７の端部に接続された仕切弁３７，３８、及び、配水管７０と接点４８，配水管７１、及び接点４９を介して接続されている配水管６９の端部に接続された仕切弁３９を認識し、これらの各仕切弁３７，３８，３９の属性情報を配水管路データベース１から参照する。
すると、これらの各仕切弁３７，３８，３９はそれぞれ各配水管６５，６７，６９との関係で通常の仕切弁の属性を有しているから、前記閉栓仕切弁検索部７は、これらの各仕切弁３７，３８，３９を閉栓すべき仕切弁だと認識し、ここで、前記配水管７０の図示左方の配水管路についての閉栓すべき仕切弁の検索を終了する。
【００６４】
次に、前記閉栓仕切弁検索部７は、前記配水管７０から更に下流側にある閉栓すべき仕切弁を探そうとするが、前記配水管７０の下流側には配水管７１があるだけで、各配水管６５，６７，６９，７０，及び７１により「一種の栓止部」が形成されているので、そこで前記検索を終了する。
【００６５】
以上の検索から、前記閉栓仕切弁検索部７は、前記仕切弁３７，３８，３９のみを閉栓すべき仕切弁として出力する。表示制御部４は、この出力を受けて、図８ａのような配水管路の画面上で、前記仕切弁３７，３８，３９だけを閉栓すべき仕切弁として表示すると共に、図８ａ中の各仕切弁３１−３６は閉栓する必要のない仕切弁としてユーザー側に提示する（例えば、画面上で、「非閉栓」という文字を前記各仕切弁３１−３６の近傍に表示する）。
【００６６】
また、図１の断水配水管抽出部８は、前記閉栓仕切弁検索部７からの出力に基づいて、前記工事箇所７２ｄを含む施工配水管７０を起点として、前記施工配水管７０の両端部の先に在る配水管路のそれぞれについて、前記施工配水管７０に近い配水管から遠い配水管へと順次、断水範囲に入る配水管を認識・検索して行く（その際、先止弁についてはその先にある配水管の検索を続行し、閉栓すべき仕切弁又は先止弁に達したときは検索を終了する）。その結果、前記断水配水管抽出部８は、前記の閉栓すべき仕切弁３７，３８，３９の前記配水管７０側にある各配水管６５，６７，６９，７０，７１であって前記「一種の栓止部」を形成している各配水管６５，６７，６９，７０，７１を、工事箇所７２ｄを含む配水管７０を断水させるために必要な断水範囲に含まれる配水管として検索する。表示制御部４は、この断水配水管抽出部８からの出力を受けて、図８ａのような配水管路の画面上で、各配水管６５，６７，６９，７０，７１を断水配水管として破線等で強調表示する。
【００６７】
また、図１の断水需要者抽出部９は、前記断水配水管抽出部８からの出力に基づいて、断水配水管６５，６７，６９，７０，７１にそれぞれ接続されている需要者（断水による影響を受ける需要者）の情報を配水管路データベース１から抽出し、表示制御部４に送信する。表示制御部４は、この送信されてきた需要者情報に基づいて、ディスプレイ５画面の前記所定領域の配水管路及び地図の上に、前記断水配水管６５，６７，６９，７０，７１に接続された全ての需要者Ｆ，Ｉ，Ｋ，Ｏを示す表示枠が、例えば斜線により他の需要者（Ａ，Ｂ，Ｃ，Ｄ，Ｅ，Ｈ，Ｇ，Ｊ，Ｌ，Ｍ，Ｎ，Ｐ，Ｑ）の表示枠とは異なるように強調された態様で、重ね合わせ表示される。また、表示制御部４は、前記の断水需要者抽出部９からの出力に基づいて、前記抽出された需要者のリスト（図８ｂ参照）を、図８ａのような配水管路の画面の中の小さなウインドウの中で表示させる。
【図面の簡単な説明】
【００６８】
【図１】本発明の実施例１の概略構成を示すブロック図。
【図２ａ】本実施例１の動作を説明するための図。
【図２ｂ】本実施例１の動作を説明するための図。
【図３ａ】本実施例１の更に他の動作を説明するための図。
【図３ｂ】本実施例１の更に他の動作を説明するための図。
【図４ａ】本実施例１の更に他の動作を説明するための図。
【図４ｂ】本実施例１の更に他の動作を説明するための図。
【図５ａ】本実施例１の更に他の動作を説明するための図。
【図５ｂ】本実施例１の更に他の動作を説明するための図。
【図６ａ】本実施例１の更に他の動作を説明するための図。
【図６ｂ】本実施例１の更に他の動作を説明するための図。
【図７ａ】本実施例１の更に他の動作を説明するための図。
【図７ｂ】本実施例１の更に他の動作を説明するための図。
【図８ａ】本実施例１の更に他の動作を説明するための図。
【図８ｂ】本実施例１の更に他の動作を説明するための図。
【符号の説明】
【００６９】
１          配水管路データベース
２          表示領域入力部
３          領域検索部
４          表示制御部
５          ディスプレイ
６          施工箇所入力部
７          閉栓仕切弁検索部
８          断水配水管抽出部
９          断水需要者抽出部
１１，１２，１３，１４，３１−３９   仕切弁
１５      栓止部
１６，４０，４１，４２，４３，４４，４５，４６，４７，４８，４９               接点
１７−２３，５０−７４             配水管
２２ａ，２２ｂ，２２ｃ，７２ａ，７２ｂ，７２ｃ，７２ｄ      工事箇所
Ａ，Ｂ，Ｃ，Ｄ，Ｅ，Ｆ，Ｇ，Ｈ，Ｉ，Ｊ，Ｋ，Ｌ，Ｍ，Ｎ，Ｏ，Ｐ，Ｑ  需要者
【図１】
0003640313.tif 000002
【図２ａ】
0003640313.tif 000003
【図２ｂ】
0003640313.tif 000004
【図３ａ】
0003640313.tif 000005
【図３ｂ】
0003640313.tif 000006
【図４ａ】
0003640313.tif 000007
【図４ｂ】
0003640313.tif 000008
【図５ａ】
0003640313.tif 000009
【図５ｂ】
0003640313.tif 000010
【図６ａ】
0003640313.tif 000011
【図６ｂ】
0003640313.tif 000012
【図７ａ】
0003640313.tif 000013
【図７ｂ】
0003640313.tif 000014
【図８ａ】
0003640313.tif 000015
【図８ｂ】
0003640313.tif 000016